(57)【特許請求の範囲】
【請求項１】
略方形の基底部と、前記基底部の表面の四隅に設けられる支承部と、前記基底部の裏面に設けられ、他の組み立て式コンテナの支承部の先端と嵌め合わせ可能な嵌合部と、前記基底部の裏面に備えられる複数の車輪と、前記支承部に着脱自在に嵌着される垂直支柱と、隣り合う前記垂直支柱の頂部に、該頂部に跨って両端が着脱自在に嵌着される横桟とを備え、前記基底部、前記垂直支柱及び前記横桟にて区画される部位にゴミ収納袋を収納する組み立て式コンテナにおいて、前記垂直支柱が下端に対してオフセット配置された第２の下端を付加し、当該第２の下端も前記支承部に着脱自在に嵌着される構造となし、更に、前記横桟に伸縮機能を付加したことを特徴とする大小のゴミ収集用袋を内包可能な組み立て式コンテナ。
【請求項２】
前記嵌合部の垂直方向の長さは前記車輪の高さよりも短い、請求項１記載の大小のゴミ収集用袋を内包可能な組み立て式コンテナ。
【請求項３】
前記垂直支柱はハンガー及びバンドを備える、請求項１記載の大小のゴミ収集用袋を内包可能な組み立て式コンテナ。
【請求項４】
前記支承部に、他の組み立て式コンテナの嵌合部を嵌め合わせてコンテナを積層した際、積層された二つのコンテナの基底部の間隔はその間に位置する車輪の高さより大きい、請求項１記載の大小のゴミ収集用袋を内包可能な組み立て式コンテナ。
【発明の詳細な説明】
【技術分野】
【０００１】
本発明は産業廃棄物などのゴミ収集用コンテナに関するものであり、更に詳しくは、大小様々なゴミ収集用の袋を内包できる組み立て式コンテナに係るものである。
【背景技術】
【０００２】
建築現場や工場から出るいわゆる産業廃棄物などのゴミは、一旦ゴミの発生場所で集められ、このゴミは処分場（焼却炉や埋立地）へ運ぶことにより処理されている。更に、詳しくは、ゴミの発生現場近くに置かれたコンテナに産業廃棄物などのゴミを投棄して詰め込み、コンテナごと車にて処分場に運び、ゴミを廃棄した後、空になったコンテナを再びゴミの発生場所に戻すことを繰り返すことが行なわれている（特許文献１、２及び非特許文献１参照）。
【０００３】
しかるに、組み立て式コンテナの公知例として、特に、特許文献３（特開２００７−１９１１６２号公報）に記載された技術が知られている。即ち、同文献に記載のコンテナは、基底部、周壁を形成する側板、支柱及び蓋からなる組み立て式コンテナであり、各部材をプラスチック製とし、コンテナ自体の廃棄の際の利便性を考慮したものとされている。そして、このコンテナは、フォークリフトにて移動可能なパレット上に設置され、ゴミの収集にそのまま利用され、フォークリフトなどでそのまま車に積載・移動するためのものである。
【０００４】
従って、特許文献３に記載されたコンテナは、本発明のコンテナが目的とするゴミ収納袋を内装するためのコンテナとは基本的に異なっている。更に、同文献には、本発明の特徴であるコンテナの組み立てを解除した後に、最もかさの張る基底部を積層して収納し、コンテナの収納スペースを少なくするという技術思想は存在しない。
【先行技術文献】
【特許文献】
【０００５】
【特許文献１】特開２００２−３３７５９６号公報
【特許文献２】特開２００３−３２１１０１号公報
【特許文献３】特開２００７−１９１１６２号公報
【特許文献４】特願２００８−０９９６７６号
【非特許文献】
【０００６】
【非特許文献１】株式会社協伸製作所のパンフレット「協伸の脱着コンテナー」
【発明の概要】
【発明が解決しようとする課題】
【０００７】
ゴミ収集の際、ゴミを圧縮・破砕装置にかけて処理した後、コンテナ内に詰め込むことが行われることもある。特に、圧縮・破砕装置を用いる場合には、ゴミの発生現場で相当な作業スペースと作業量を必要とし、その上、装置などが高価であり、更には、ゴミをその性質に従って分別しにくいという欠点があった。
【０００８】
そして、運搬車両は空になったコンテナをそのまま運ぶため、いわば、荷台に空気を積んでいるようなものであり、経済的に大きな無駄が生じていた。更に、コンテナの不使用時には、そのまま、或いは、一段程度積み上げた状態で置かれることとなるため、収納のための空きのスペースをも確保しておく必要があった。
【０００９】
かかる実情に鑑みて、本出願人は既に改良したコンテナを提案しているが（特許文献４：特願２００８−０９９６７６号）、本発明はかかるコンテナの更なる改良であって、組み立て式で、不使用時に収納スペースを余り必要としない、極めて利便性の高い組み立て式のコンテナであることは勿論であるが、ゴミ収納袋の大小にかかわりなく用いることができるコンテナを提供するものである。
【課題を解決するための手段】
【００１０】
本発明の組み立て式コンテナは、上記したように特許文献４の改良であり、特に言えば、垂直支柱と横桟の改良によって課題を解決したものである。即ち、特許文献４の技術に、改良したこの垂直支柱及び横桟をそのまま適用したこととなる。
ここで特許文献４の技術を説明すると、略方形の基底部を有し、該基底部の表面（上面）の四隅に支承部が備えられ、かつ、該基底部の裏面（下面）に他の組み立て式コンテナの支承部の先端と嵌め合わせ可能な嵌合部及び複数の車輪が備えられる。前記支承部に垂直支柱が着脱自在に嵌着されるとともに、隣り合う該垂直支柱の頂部には、これに跨って両端が着脱自在に嵌着された横桟が備えられ、基底部、垂直支柱及び横桟にて区画される部位にはゴミ収納袋が収められる組み立て式コンテナである。
【００１１】
そして、本発明にて改良した垂直支柱は、その下端が基底部の表面に備えられた支承部に着脱自在に嵌着されるが、当該垂直支柱の下端に対してオフセットされた第２の下端を付加したもので、使用するゴミ収納袋の大きさに応じて支柱のいずれかの下端を支承部に嵌着するものである。第２の下端を支承部に嵌着した場合には、ゴミ収納袋が小さ目のものに適用することとなる。
【００１２】
又、本発明にて改良した横桟は、垂直支柱の間隔が変更されるに応じて、これに跨って両端が着脱自在に嵌着されるように伸縮可能とした構造としたものであり、ゴミ収納袋の大きさに適用して垂直支柱の頂部にこれが跨り、ゴミ収納袋を支えることとなる。
【発明の効果】
【００１３】
以上の通り、本発明はゴミ収納袋の大小にかかわりなく、組み立て式コンテナが構成でき、産業廃棄物などの収集を可能にしたものである。実際の作業工程は、産業廃棄物などのゴミが入れられたゴミ収納袋をクレーンでコンテナより引き出し、ゴミ収納袋を車に積載し処分場へ運び廃棄する。一方、コンテナの必要がないときは、横桟、垂直支柱を順次取り外し、各コンテナの基底部は、支承部と嵌合部とを順次嵌め合わせて何枚も積層できるようにしている。このため、保管スペースは極めて少なくてすむという大きな効果がある。勿論、処分場へかかるコンテナをそのまま運びこんだ場合には、コンテナをそのままの形で引き返すことは要せず、コンテナを分解して小さくし、これを積層した状態で運ぶことが可能である。
そして、本発明の最大の特徴は、ゴミ収納袋の大きさに合わせて垂直支柱の向きを変え、横桟を伸縮させて垂直支柱に嵌め込み、ゴミ収納袋の大きさにコンテナのスペースを変更できるようにしたものである。尚、ゴミ収納袋は、角形でも円形でも限定されることなく使用できることは言うまでもない。
【図面の簡単な説明】
【００１４】
【図１】は特許文献４の技術におけるコンテナの側面図である。
【図２】は特許文献４の技術におけるコンテナの基底部の表面側を示す図である。
【図３】は特許文献４の技術におけるコンテナの基底部の裏面側を示す図である。
【図４Ａ】、
【図４Ｂ】及び
【図４Ｃ】は特許文献４の技術における支承部と垂直支柱の嵌着例を示した図である。
【図５Ａ】及び
【図５Ｂ】は特許文献４の技術における垂直支柱の頂部と横桟との嵌着例を示した図である。
【図６】は特許文献４の技術における基底部の表裏に備えられる支承部及び嵌合部の関係と、これを積み重ねた際の図である。
【図７Ａ】、
【図７Ｂ】及び
【図７Ｃ】は特許文献４の技術における支承部と嵌合部の他の例を示す図である。
【図８】は特許文献４の技術におけるコンテナ及びゴミ収納袋を示した斜視図である。
【図９】は特許文献４の技術におけるゴミ収納袋の横膨れ阻止手段を示す図である。
【図１０】は特許文献４の技術におけるゴミ収納袋の横膨れ阻止手段の他の例を示す図である。
【図１１】は特許文献４の技術におけるコンテナ内にゴミ収納袋を内包した状態を示す図である。
【図１２】は本発明における垂直支柱の一例を示す図である。
【図１３】は本発明における横桟の一例を示す図である。
【図１４】は本発明の垂直支柱の第２下端を利用した際のコンテナの図である。
【発明を実施するための形態】
【００１５】
本発明は、特許文献４と同様、ゴミ収納袋をコンテナＡの内部より回収した後は、コンテナＡを一定の容積のままとしておくのではなく、これを分解できるようにしたものであり、その置き場所を十分確保しなくてはならないという課題を解決したものである。そして、本発明に係るコンテナＡは収納に最もかさばることとなる基底部１を積み重ね可能とする構造を有するものである。
そして、更に、ゴミ収納袋の大きさに合わせてコンテナのスペースを変更可能としたものであり、その特徴は顕著なものである。
【実施例】
【００１６】
（特許文献４の発明の具体例）
先ず、本発明の基礎となる特許文献４の発明を説明する。図１は特許文献４の発明の一例を示すコンテナＡの側面図、図２は基底部１を表面側（上面側）から見た図、図３は基底部１を裏面側（下面側）から見た図である。図中、１は正方形の基底部であり、その四周は角パイプ１ａにて構成されている。
そして、１ｂは対向する角パイプ１ａ、１ａ間に差し渡された同様の角パイプであり、更にその角パイプ１ａ、１ｂ間にプレート１ｃが差し渡されている。このプレート１ｃには、車輪４が備えられている。基底部１の各隅部には垂直方向に角パイプ１ｄが備えられ、基底部１の表側に突出する部位（支承部２）と、基底部１の裏側に突出する部位（嵌合部３）とが形成されている。尚、夫々のパイプ及びプレートはいずれも溶接・一体化されている。嵌合部３の先端は突出部３ａをなし、後述するように、基底部１を積み重ねた際、支承部２の上端の穴２ａに嵌着する構成となっている。この嵌合部３は車輪４の背丈（垂直方向の高さ）よりも低い背丈（突出高さ）を有するので、車輪４の動きを阻止しない。
【００１７】
尚、基底部１は前例に限定されることはなく、図示はしないが各種の中実材やプレート材によって構成されるものも含まれることは勿論である。又、各材料も金属製でもプラスチック製でもこれらを組み合わせたものであってもかまわない。全ての部材の長さなどは任意に選択できることは言うまでもない。
【００１８】
図４Ａ、４Ｂ及び４Ｃは支承部２と垂直支柱５の嵌着例を示したものである。
図４Ａは支承部２をパイプ状として上端に穴２ａを備え、この穴２ａ内に垂直支柱５の下端を嵌着した例である。垂直支柱５は角パイプを用いているが、この下端の穴５ａに嵌着用の突起５ｂを備え、これを支承部２の穴２ａ内に嵌めるものである。図４Ｂでは、垂直支柱５は中実材であり、その下端を支承部２の穴２ａ内に嵌めるものである。図４Ｃでは、垂直支柱５として角パイプを用い、その下端の穴５ｂ内に支承部２を嵌めるものである。
【００１９】
図５Ａ及び５Ｂは角パイプ状の垂直支柱５の頂部と横桟６との関係を示した図であり、図５Ａは横桟６の両端にエルボ６ｂ、６ｂを、横桟６を折り曲げ或いは溶接にて一体化して備えた構成を示し、このエルボ６ｂ、６ｂは夫々の垂直支柱５の頂部の穴５ｃ内に着脱自在に嵌め込まれる。又、図５Ｂは、横桟６の両端に穴６ｃを形成し、これを垂直支柱５の頂部に形成した突起５ｃと嵌着させる形態を示す。
【００２０】
各支承部２に同一長さの角パイプ状の垂直支柱５の下端が嵌着され、更に、この垂直支柱５の頂部を跨ぎ、両端が垂直支柱５の頂部に嵌着された横桟６を備えることにより、コンテナが完成する。尚、この例では、垂直支柱５にハンガー９が備えられており、ゴミ収納袋装着用のバンド１０が備えられている。
【００２１】
以上のように、特許文献４の発明のコンテナＡにあっては、基底部１、４本の垂直支柱５、４本の横桟６を組み立てることによって一定の容積が確保でき、この内部にゴミ収集用袋２０がセットされる。そして、車などに積載する際には、クレーンにてゴミ収集用袋２０のハンドル部２１をもって当該コンテナＡ内よりこれを引き上げ、車に積載することとなる。
【００２２】
一方、このコンテナＡの分解収納にあっては、先ず横桟６を外し、次いで垂直支柱５を支承部２より抜き去って各部材の組み立てが解除されるものである。
【００２３】
横桟６及び垂直支柱５が取り除かれた基底部１は、図６に示すように、基底部１、１、１、・・・の表側に支承部２、裏側に嵌合部３が、同一位置に形成されたものであり、基底部１の収納の際には、順次嵌め合わせて積層して収納することにより、極めて狭いスペースでも基底部１、１、１、・・・の収納が可能となる。
【００２４】
図７Ａ、７Ｂ及び７Ｃは、基底部１及び表裏面に備えた支承部２と嵌合部３の他の例を示す図である。勿論、いずれも支承部２と嵌合部３とは、基底部１を積み重ねた際に嵌め合わせが可能である。支承部２はパイプ材、中実材いずれでも良く、一方、嵌合部３はこれらに嵌め合わせ可能なパイプ材、中実材、窪みなどにより形成される。
【００２５】
図７Ａは、支承部２がパイプ状であり、嵌合部３が中実体の突出部３ａの場合、図７Bは、支承部２が中実体２ｂであり、嵌合部３がパイプ状の場合、図７Ｃは、支承部２が中実体２ｂであり、嵌合部３が窪みの場合の、夫々基底部１及びこれを積み重ねた状態を示す図である。尚、図からも分かるように、基底部１が積層された二つのコンテナＡの基底部１、１の間隔は、基底部１の裏側に備えられた車輪４の背丈よりも大きい間隔とする必要があり、支承部２及び嵌合部３の長さが適当に選択される。
【００２６】
図８は特許文献４の発明のコンテナＡ及びゴミ収納袋２０を夫々別々に示した斜視図である。ゴミ収納袋２０は例えば麻袋であり、コンテナＡと同様に立方体を形成する。そして、吊り下げ用ハンドル部２１が備えられており、この例では、蓋体２２も備えられている。コンテナＡ内にセットされるゴミ収納袋２０は、その内部にゴミが入れられると、自然に横方向に膨らむ傾向にある。従って、これをそのままクレーンで吊るし上げてもゴミ収納袋２０がコンテナＡから出ないケースも想定されるので、以下の対策が必要となる場合がある。
【００２７】
このため、図９に示すように垂直支柱５には、ゴミ収納袋２０の横膨れを阻止するため、垂直支柱５の中腹から横方向に大きく張り出したフック７を備えるのがよく、これによってゴミ収納袋２０の横方向の膨れを阻止できる。尚、ハンガー９の代用としてこのフック７を用い、これにゴミ収納袋２０を止めるためのバンド１０が装着できることは言うまでもない。
【００２８】
図１０は、上記の理由、即ち、コンテナＡ内でのゴミ収納袋２０の横方向への膨れを防止するための第２の手段を示すものである。即ち、基底部１と横桟６との間に立桟８を装着した例であり、立桟８の上端８ａは横桟６にフック状に係止され、下端８ｂは基底部１に形成された穴１ｐなどに納まる形態とするものである。尚、使用する立桟８の本数は任意に選択できることは言うまでもない。
【００２９】
図１１はコンテナＡ内にゴミ収納袋２０を内包した際の状態図である。ゴミ収納袋２０はコンテナＡと同様に立方体を形成して納められる。そして、吊り下げ用ハンドル部２１が備えられており、更にこの例では、蓋体２２も備えられている。そして、フック７に装着された（伸縮性の）バンド１０の先端に取り付けられた係止片１０ａを、ゴミ収納袋２０の蓋体２２に備えられた穴部（鳩目）２３内に差し込んでコンテナＡとゴミ収納袋２０を固定する。
【００３０】
ゴミが入れられたゴミ収納袋２０は、係止片１０ａと穴部（鳩目）２３との係止を解除し、蓋体２２にて入り口を覆い、吊り下げ用ハンドル部２１でもってクレーンにて引き上げてコンテナＡから離脱させ、車などに積載されるものである。
（本発明の具体例）
【００３１】
本発明は、以上詳記した特許文献４の特徴をそのまま生かしつつ、更なる改良を加えたもので、改良点は垂直支柱５及び横桟６にあり、その他の形態はそっくりそのまま適用されるものである。
【００３２】
（垂直支柱の形態）
図１２は本発明における垂直支柱５の一例を示す図である。本発明の垂直支柱５は、図４Ａ、４Ｂ、４Ｃ、図５Ａ、４Ｂにて示されている垂直支柱に改良を加えたものであり、垂直支柱５の下端５Pに対し、オフセットした構造の第２の下端５Qを備えたものである。この例では、第２の下端５Qは、三角形状の補強プレート５Rを介して垂直支柱５と一体化されている。
【００３３】
オフセットして備えられた第２の下端５Qの端部は、構造的には支承部２との取り合いは下端５Ｐの場合と同じであり、その構造も同様のものでよく、ここでは説明を省略する。
後述するが、第２の下端５Qを支承部２に嵌め込んだ場合には、オフセットした分だけ4本の垂直支柱５が内側に位置することとなり、その分だけ、垂直支柱５にて囲まれるスペースは狭くなり、小さめのゴミ収納袋がこれに適用可能となるものである。
【００３４】
（横桟の形態）
図１３は本発明における横桟６の一例を示す図である。本発明の横桟６は、図５Ａ、４Ｂにて示されている横桟６に改良を加えたものであり、横桟６に伸縮スライド性を付加して、エルボ６ｂ、６ｂや穴６ｃの位置を調整可能としたものである。図例の横桟６はスライド移動可能な角形の外筒６Pと内筒６Qとよりなり、その両端に丸鋼製のエルボ６ｂ、６ｂが備えられた例である。そして、内筒６Qの内端には内ストッパー６Rが備えられ、外筒６Pの端部には外ストッパー６Sを備えて抜け防止を図っている。尚、横桟６は角形の外筒及び内筒でなくてもよく、図示はしないが、例えば円筒状の横桟であってもよいことは勿論である。
【００３５】
横桟６に伸縮スライド性を付加した理由は、前述した垂直支柱５と支承部２との嵌め合せの違いにより垂直支柱５の頂部の間隔が異なることとなるからであり、この間隔の違いに夫々対処できるようにするために横桟６に伸縮性を持たせたものである。
【００３６】
（本発明のコンテナBの形態）
図１４は本発明の垂直支柱５の第２下端５Qを利用した際のコンテナBの側面図及び平面図である。即ち、垂直支柱５の下端５Pを内側として第２下端５Qと支承部２とを嵌め合わせてなるものであり、４本の垂直支柱５にて構成するスペースは、図８にて示す垂直支柱５の下端と支承部２とを嵌め合わせて構成するスペースより大きく減少したものである。このため、図８にて示すゴミ収納袋２０よりも小型のゴミ収納袋２０Aがこのスペースに適用可能となったものである。
【００３７】
図中、９Aは角パイプ１ａと角パイプ１ｄ間に溶接された丸鋼のハンガーであり、必要であれば、この部位を利用し、ゴムバンド１０にてゴミ収納袋２０Aの吊り紐２０Bなどを固定することとなる。又、２２Aは、ゴミ収納袋２０Aの蓋体となる折り返しを示す。
コンテナBからのゴミ収納袋２０Aの取出しなどは前記した通りであり、ここでは省略する。
【産業上の利用可能性】
【００３８】
本発明のコンテナは以上の通りであり、内部にゴミ収納袋をセットして使用に供され、使用しない場合には、極めてコンパクトに積み重ねて保管できるという特許文献４の特徴をそのまま有し、保管のためのスペースはほとんど不要となる優れた構造である。これに加えるに、ゴミ収納袋の大きさが異なった場合でも垂直支柱の向きを変えるだけで簡単にスペースの変更が可能であり、複数のコンテナを準備するようなことは不要となる。
従って、産業廃棄物、工場や事務所からの廃棄物などの収集に広く使用できるもので、その工業的価値は大きい。
【符号の説明】
【００３９】
Ａ、B・・コンテナ
１.・・基底部
１ａ.・・角パイプ
１ｂ.・・角パイプ
１ｃ.・・プレート
１ｄ.・・角パイプ
１ｐ.・・穴
２.・・支承部
２ａ.・・穴
２ｂ.・・中実体
３.・・嵌合
３ａ.・・突出部
４.・・車輪
５.・・垂直支柱
５ａ.・・穴
５ｂ.・・突起
５ｃ.・・穴
５ｄ.・・突起
５Ｐ.・・垂直支柱の下端
５Ｑ.・・オフセットした支柱の第２の下端
５Ｒ.・・三角形状のプレート
６.・・横桟
６ｂ.・・エルボ
６ｃ.・・穴
６Ｐ.・・外筒
６Ｑ.・・内筒
６Ｒ.・・内ストッパー
６Ｓ.・・外ストッパー
７.・・フック
８.・・立桟
８ａ.・・立桟の上端
８ｂ.・・立桟の下端
９、９Ａ  ハンガー
１０.・・バンド
１０ａ.・・係止片
２０、２０Ａ.・・ゴミ収納袋
２０Ｂ.・・吊り紐
２１.・・ゴミ収集用袋のハンドル部
２２、２２Ａ.・・蓋体
２３.・・鳩目
【図１】
0005452419.tif 000002
【図２】
0005452419.tif 000003
【図３】
0005452419.tif 000004
【図４Ａ】
0005452419.tif 000005
【図４Ｂ】
0005452419.tif 000006
【図４Ｃ】
0005452419.tif 000007
【図５Ａ】
0005452419.tif 000008
【図５Ｂ】
0005452419.tif 000009
【図６】
0005452419.tif 000010
【図７Ａ】
0005452419.tif 000011
【図７Ｂ】
0005452419.tif 000012
【図７Ｃ】
0005452419.tif 000013
【図８】
0005452419.tif 000014
【図９】
0005452419.tif 000015
【図１０】
0005452419.tif 000016
【図１１】
0005452419.tif 000017
【図１２】
0005452419.tif 000018
【図１３】
0005452419.tif 000019
【図１４】
0005452419.tif 000020